(57)【要約】  本発明は、自動車の扉装置（２）の駆動装置であって、扉装置（２）は、開放位置と閉鎖位置との間で変位可能な扉（３）を有し、駆動装置（１）は、駆動装置（１）を駆動技術的に接続するための２つの機械的な駆動接続部（４，５）と、両駆動接続部（４，５）間で総ばね力（９）を発生させるコイルばね装置（８）とを備える、駆動装置に関する。本発明によれば、コイルばね装置（８）は、コイルばね軸線（１１）を有する少なくとも１つの一体的なコイルばね要素（１０）、特に圧縮コイルばね要素を有し、扉（３）の変位、特に閉鎖変位は、コイルばね要素（１０）の収縮を伴い、かつ総ばね力（９）の、それぞれ異なる傾きを有する変化曲線の延びを発生させるべく、コイルばね要素（１０）は、少なくとも一部収縮区間にわたってプログレッシブなばね特性を有するようにした。
2019508610.tif 000002
【特許請求の範囲】
【請求項１】
自動車の扉装置（２）の駆動装置であって、
前記扉装置（２）は、開放位置と閉鎖位置との間で変位可能な扉（３）を有し、
前記駆動装置（１）は、前記駆動装置（１）を駆動技術的に接続するための２つの機械的な駆動接続部（４，５）と、両前記駆動接続部（４，５）間で総ばね力（９）を発生させるコイルばね装置（８）とを備え、
前記駆動装置（１）の変位の間の、両前記駆動接続部（４，５）間の前記総ばね力（９）の変化曲線の延びは、駆動位置に応じて、複数のそれぞれ異なる傾きを有する、
駆動装置において、
前記コイルばね装置（８）は、コイルばね軸線（１１）を有する少なくとも１つの一体的なコイルばね要素（１０）、特に圧縮コイルばね要素を有し、
前記扉（３）の変位、特に閉鎖変位は、前記コイルばね要素（１０）の収縮を伴い、かつ
前記総ばね力（９）の、それぞれ異なる傾きを有する前記変化曲線の延びを発生させるべく、前記コイルばね要素（１０）は、少なくとも一部収縮区間にわたってプログレッシブなばね特性を有する、
ことを特徴とする、自動車の扉装置の駆動装置。
【請求項２】
前記プログレッシブなばね特性は、前記コイルばね要素（１０）が、前記コイルばね軸線（１１）に沿って、変化するばね構成を有することにより生じることを特徴とする、請求項１記載の駆動装置。
【請求項３】
前記コイルばね要素（１０）は、前記コイルばね軸線（１１）に沿って、区間的にまたは連続的に変化するばね構成を有することを特徴とする、請求項２記載の駆動装置。
【請求項４】
前記コイルばね要素（１０）は、第１のばね構成を有する少なくとも１つのばね区間（１４）と、第２のばね構成を有する少なくとも１つのばね区間（１５）とを有し、好ましくは、前記コイルばね要素（１０）は、少なくとも１つの別のばね構成を有する少なくとも１つのばね区間を有することを特徴とする、請求項２または３記載の駆動装置。
【請求項５】
前記コイルばね要素（１０）の前記それぞれ異なるばね構成は、ばね幾何学形状の点で区別される、好ましくは、前記コイルばね要素（１０）の前記それぞれ異なるばね構成は、コイル勾配の点で区別される、かつ／または前記コイルばね要素（１０）の前記それぞれ異なるばね構成は、コイル直径の点で区別される、かつ／または前記コイルばね要素（１０）の前記それぞれ異なるばね構成は、ばね素線直径の点で区別されることを特徴とする、請求項２から４までのいずれか１項記載の駆動装置。
【請求項６】
前記コイルばね要素（１０）の前記それぞれ異なるばね構成は、コイルばね材料の材料パラメータの点で区別されることを特徴とする、請求項２から５までのいずれか１項記載の駆動装置。
【請求項７】
前記コイルばね要素（１０）の、前記コイルばね軸線（１１）に沿って変化する前記ばね構成は、前記扉（３）の変位、特に閉鎖変位の際に、前記扉（３）の少なくとも一部変位範囲内で、前記コイルばね要素（１０）のばねコイル（ｗ１〜ｗ４）を収縮時に当接させ、有効なばね弾性を示す巻数を減少させることを特徴とする、請求項２から６までのいずれか１項記載の駆動装置。
【請求項８】
前記コイルばね要素（１０）の前記ばねコイル（ｗ１〜ｗ４）は、区間ごとに密着するか、または前記ばねコイル（ｗ１〜ｗ４）は、前記扉（３）の変位の際に漸次当接することを特徴とする、請求項７記載の駆動装置。
【請求項９】
少なくとも当接する前記ばねコイル（ｗ１〜ｗ４）は、表面処理、特にフロック加工されていることを特徴とする、請求項７または８記載の駆動装置。
【請求項１０】
前記コイルばね要素の少なくとも２つのばね区間（１４，１５）は、それぞれそれ自体が略線形のばね特性線を有することを特徴とする、請求項１から９までのいずれか１項記載の駆動装置。
【請求項１１】
前記扉（３）の前記閉鎖変位の後半部、好ましくは、最後の３分の１、さらに好ましくは、最後の４分の１において、前記コイルばね装置（８）は、前記総ばね力（９）の増加を引き起こすことを特徴とする、請求項１から１０までのいずれか１項記載の駆動装置。
【請求項１２】
前記扉（３）の前記閉鎖変位の後半部、好ましくは、最後の３分の１、さらに好ましくは、最後の４分の１において、前記コイルばね要素（１０）の前記プログレッシブなばね特性は、前記駆動装置（１）の前記変位の間の前記総ばね力（９）の前記変化曲線の延びの前記傾きにおける増加を引き起こすことを特徴とする、請求項１から１１までのいずれか１項記載の駆動装置。
【請求項１３】
前記駆動装置（１）は、駆動モータ（１６）と、前記駆動モータ（１６）の下流に接続された送り伝動機構（１８）とを、駆動運動を発生させるべく備え、前記駆動運動は、前記駆動接続部（４，５）を介して出力可能であることを特徴とする、請求項１から１２までのいずれか１項記載の駆動装置。
【請求項１４】
前記送り伝動機構（１８）は、駆動軸線に沿った駆動運動を発生させるリニア伝動機構として、特にスピンドル−スピンドルナット−伝動機構として構成されており、好ましくは、前記コイルばね要素（１０）は、前記駆動軸線に沿って、さらに好ましくは、前記駆動軸線に関して同軸に方向付けられていることを特徴とする、請求項１３記載の駆動装置。
【請求項１５】
開放位置と閉鎖位置との間で変位可能な扉（３）と、前記扉（３）に配設された、請求項１から１４までのいずれか１項記載の駆動装置（１）とを備える、自動車の扉装置。
【発明の詳細な説明】
【技術分野】
【０００１】
本発明は、請求項１の上位概念部に記載の、自動車の扉装置の駆動装置と、請求項１５に記載の、このような駆動装置を備える自動車の扉装置とに関する。
【０００２】
特にステーションワゴンの場合、後部扉の重量が重いという点に鑑み、扉の重量の力を受けながら扉の位置を変える際にユーザを補助する意義が増している。なお、「扉（Ｋｌａｐｐｅ）」なる概念は、広義に解すべきである。扉には、特に、自動車のテールゲート、リヤリッド、エンジンフード、サイドドア、トランクリッド、ポップアップルーフ等が含まれる。
【０００３】
ここで述べる駆動装置は、扉の位置を変える際にユーザを補助するために用いられる。駆動装置は、純然たるばね駆動式であっても、モータ駆動式であってもよい。
【０００４】
本発明の前提としての公知の駆動装置（独国特許出願公開第１０００１０５４号明細書（DE 100 01 054 A1））は、モータにより扉の位置を変える駆動モータを装備している。付加的に駆動装置は、２つの駆動接続部間でばね力を発生させるばね装置を備えている。ばね装置は、互いに別個の２つのばね要素を装備しており、両ばね要素は、扉の変位に応じてそれぞればね力を駆動接続部に及ぼす。その際、当該装置にいえることは、閉鎖変位時、まず、一方のばね要素が有効であり、扉の閉鎖位置の領域で初めて、第２のばね要素が有効であることである。扉の閉鎖位置の領域におけるこの別のばね要素の「追加」により、駆動装置が変位する間、駆動接続部に作用する総ばね力の不連続的な曲線の延びが生じる。確かにこの駆動装置により、駆動接続部間の総ばね力の、第一次近似的に適合された調整が可能である。例えばこの別のばね要素は、扉を閉鎖位置から押し開けるために特に高いばね力が提供されるように設計されていることができる。しかし、結果として得られる駆動装置は、複数のばね要素が必要であることにより、機械的に手間とコストを要する。
【０００５】
さらに、この別のばねが突如繋がれることで、この駆動装置によっては、その他、望ましいとは言い難い係合時異音と、見栄えのよくない変位動作が生じてしまう。最後に挙げた観点は、通常、快適性の損失と見なされる。
【０００６】
本発明の根底にある課題は、この公知の駆動装置を、簡単な構造的手段によって、駆動接続部に作用するばね力のフレキシブルな調整が可能であるように構成し、発展させることである。
【０００７】
上述の課題は、請求項１の上位概念部に記載の駆動装置において、請求項１の特徴部に記載の特徴により解決される。
【０００８】
本提案によれば、総ばね力の変化曲線の延びにおけるその都度要求される曲線の傾きが、プログレッシブなばね特性を有するコイルばね要素の使用により、特に簡単に実現されることが判っている。なお、「プログレッシブなばね特性」なる概念は、広義に解すべきであり、特に全般的には、コイルばね要素により発生されるコイルばね力の変化曲線の延びの傾きが、コイルばね要素の収縮の間に増大することを意味している。傾きのこの増大は、コイルばね要素の収縮の間に連続的または不連続的に行われ得る。特に、これには、コイルばね要素の収縮間の、程度の差こそあれ急激な屈曲箇所において互いに移行する２つの線形の曲線区間からなる、コイルばね要素により加えられるコイルばね力の変化曲線の延びが含まれる。
【０００９】
詳細には、両駆動接続部間での総ばね力の発生を担うコイルばね装置が、上述のプログレッシブなばね特性を有する少なくとも１つの一体的なコイルばね要素を有することを提案する。その際、当該装置にいえることは、扉の変位、ここでは特に閉鎖変位が、コイルばね要素の収縮を伴うことである。相応にコイルばね要素は、そのプログレッシブなばね特性でもって、総ばね力における複数のそれぞれ異なる傾きを発生させる役割を果たす。
【００１０】
本提案による解決手段により、総ばね力の異なる変化曲線の延びは、僅かな構造的な手間あるいはコストで実現される。それどころか、基本的には、これまで常に必要であった複数のばね要素の使用を省略することができる。
【００１１】
本提案によりプログレッシブなばね特性を有するコイルばね装置を使用することで、駆動装置の変位の間の、総ばね力の変化曲線の延びの互いに異なる曲線区間が、これらの曲線区間間の移行が付加的なばね要素の繋ぎを伴わずとも、実現される。これにより移行は、より穏やかに、そして大幅に異音なしに行われ得る。
【００１２】
基本的には、コイルばね要素は、引っ張りコイルばね要素であってもよい。しかし、ここで特に好ましいのは、圧縮コイルばね要素の使用であり、圧縮コイルばね要素のプログレッシブなばね特性は、機械的に特に容易に形成可能である。
【００１３】
請求項２に記載の好ましい構成において、コイルばね要素のプログレッシブなばね特性は、コイルばね要素が、コイルばね軸線に沿って、変化するばね構成を有することにより生じる。このばね構成は、区間的にまたは連続的に設けられていることができ、このことは、相応に、不連続的なプログレッシブなばね特性または連続的なプログレッシブなばね特性として現れる（請求項３）。
【００１４】
請求項５および６に記載の別の好ましい構成は、コイルばね軸線に沿ったばね構成の変更可能性に関する。この場合、コイルばね軸線に沿ったコイルばね要素のコイル勾配の変更に特別な意義がある。それというのも、このことは、一方では、機械的に容易に実現可能であり、他方では、コイルばね要素の周囲の幾何学形状に影響を及ぼさず、本提案による解決手段が、組み付けスペースに起因した付加的な問題を引き起こさないからである。
【００１５】
特に、コイルばね軸線に沿って変化するコイル勾配により、コイルばね要素の収縮が、コイルばね要素のばねコイルを当接させ、ばね弾性を示す巻数を減少させるようにした、請求項７に記載の好ましい構成が容易に実現される。その際、特に全般的には、扉の変位は、まず、「軟らかい」ばねコイルの収縮と当接とを伴い、その結果、続いての収縮のためにまだ残されているのは、「硬い」ばねコイルのみである。これは、上述の意味でのばねコイルの当接が、当該ばねコイルが突き当たりまで収縮したことを意味しており、それ以上の収縮が、それぞれ隣接するばねコイルにより阻止されているからである。
【００１６】
基本的には、請求項８の第１の選択肢によれば、コイルばね要素が、同時に、つまり区間的に当接する「軟らかい」ばねコイルを有するばね区間を有していることが可能である。しかし、請求項８の別の選択肢によれば、ばねコイルが、扉の変位の際に漸次当接することも可能である。
【００１７】
特に、上述のばねコイルの当接が計画されている場合、当該ばねコイルを表面処理にかけることが有利な場合がある。この表面処理は、場合によってはばねコイルの当接に関連する異音を軽減するために用いられる。これとは異なりまたはこれに加えて、表面処理は、摩耗を軽減するために用いられてもよい。
【００１８】
請求項１１に記載の特に好ましい構成では、総ばね力における増加が、扉の閉鎖変位の最後の区間で予定されている。このことは、扉が閉鎖されているとき、閉鎖ばね要素が高い力で付勢されており、その結果、扉の開放変位が、少なくとも初期に、高い総ばね力で補助されることを意味する。このことは、「プッシュ−アップ−ばね（Ｐｕｓｈ-ｕｐ−Ｆｅｄｅｒ）」として広く知られた装置の機能に相当する。
【００１９】
請求項１２に記載のさらに好ましい構成では、付加的に、扉の閉鎖変位の最後の区間において、総ばね力の変化曲線の延びの傾きにおける増加も予定されている。このことは、上述のプッシュ−アップ−ばねの機能の意味で、コイルばね要素の高い付勢が所望されているのは、扉の変位範囲のうちの小さな範囲であるという事情を考慮したものである。
【００２０】
基本的には、本提案に係る駆動装置は、コイルばね装置を介した純然たるばね駆動式であってもよい。しかし、請求項１３および１４に記載の特に好ましい構成では、本提案に係る駆動装置は、モータ駆動式である。請求項１４に記載のスピンドル−スピンドルナット−伝動機構と、本提案によるコイルばね装置との組み合わせは、好適な設計時、特にコイルばね軸線とスピンドル軸線とが互いに同軸に方向付けられているとき、特にコンパクトな構成を実現する。
【００２１】
独立した意義のある請求項１５に記載の別の思想によれば、本提案に係る駆動装置が配設された扉装置自体の特許が請求される。
【００２２】
本提案に係る扉装置は、開放位置と閉鎖位置との間で変位可能な上述の扉を備え、扉は、本提案に係る駆動装置により変位される。本提案に係る駆動装置についてのすべての説明を参照されたい。
【００２３】
以下に、本発明について、一実施例のみを示した図面を参照しつつ、詳しく説明する。
【図面の簡単な説明】
【００２４】
【図１】本提案に係る駆動装置を備える本提案に係る扉装置を含む自動車の後部領域を示す図である。
【図２】図１に示した駆動装置の縦断面図である。
【図３】図２に示した駆動装置のばね要素を極めて概略的な縦断面図で、対応する総ばね力の変化曲線の延びとともに示す図であって、ａ）は、扉が開放位置にあるとき、ｂ）は、扉が中間位置にあるとき、ｃ）は、扉が閉鎖位置にあるときの図である。
【００２５】
本提案に係る駆動装置１は、自動車の扉装置２に配設されている。扉装置２は、開放位置（図１に実線で図示）と、閉鎖位置（図１に破線で図示）との間で変位可能な扉３を備えている。「扉」なる概念は、本明細書では広義に解すべきである。その点については、明細書導入部を参照されたい。
【００２６】
駆動装置１は、駆動装置１を駆動技術的に接続するための２つの機械的な駆動接続部４，５を備えている。図示の、その点では好ましい実施例において、駆動接続部４は、自動車のボデー６に、そして駆動接続部５は、扉３に駆動技術的に連結されている。
【００２７】
駆動装置１は、第１の実施の形態では、扉３の重量を補償するためだけに用いられてもよい。この場合、駆動装置１は、純然たるばね駆動式である。しかし、駆動装置１は、ここでは、好ましくは、モータにより扉３を開放位置と閉鎖位置との間で変位させるために用いられる。閉鎖位置は、扉３が完全に閉鎖された位置の少し手前に存在する前閉鎖位置であってもよい。このような場合、好ましくは、扉３に配置された自動車ロック装置７が、扉３をこの前閉鎖位置から完全に閉鎖された位置へと移行させるために、引き寄せて閉鎖する機能を提供するようになっている。
【００２８】
本提案に係る駆動装置１は、図２に看取可能なコイルばね装置８を備えている。コイルばね装置８は、両駆動接続部４，５間で総ばね力９を発生させるために用いられる。図示の、その点では好ましい実施例において、コイルばね装置８は、駆動接続部４，５を互いに押し離している。これは、反対に設定してもよい。
【００２９】
扉３の運動学的な境界条件、特に扉３の重量の力の影響に対応すべく、駆動装置１の変位、つまり駆動接続部４，５同士の相対的な変位の間、両駆動接続部４，５間の総ばね力９の推移には特別な変化曲線が設定されている。その際、駆動位置、つまり駆動接続部４，５同士の相対的な位置に応じて、その都度異なる曲線の傾きを実現することには、特別な意義がある。これについては、プッシュ−アップ−ばねの機能との関連で例示的に説明した。
【００３０】
而るに重要であるのは、コイルばね装置８が、少なくとも１つの一体的なコイルばね要素１０を有していることであり、コイルばね要素１０は、ここでは、好ましくは、圧縮コイルばね要素である。しかし、基本的には、コイルばね要素１０は、引っ張りコイルばね要素であってもよい。図示の、その点では好ましい実施例において、コイルばね要素１０は、コイルばね装置８の単一のコイルばね要素である。
【００３１】
コイルばね要素１０は、好ましくは、円筒状のコイルばねとして構成されている。別の構成、例えばたる形ばね等の形態の構成も可能である。コイルばね要素１０には、コイルばね軸線１１が割り当てられており、コイルばね軸線１１は、コイルばね要素１０の長手方向延在を表している。コイルばね軸線１１は、ここでは、好ましくは、両駆動接続部４，５を通って延びている。
【００３２】
駆動接続部４，５を互いに接近させるように変位させると、図２に示した、その点では好ましい実施例では、コイルばね要素１０が収縮する。このことは、コイルばね要素１０用の一方の当接面１２ａが駆動接続部４に、そしてコイルばね要素１０用の他方の当接面１２ｂが駆動接続部５に結合されていることによる。その点では、駆動装置１は、さらに下で説明するように、伸縮自在のリニアドライブを提供する。
【００３３】
図１および２を合わせて見ると、扉３の変位、ここでは閉鎖変位が、他方、コイルばね要素１０の収縮を伴うことが判る。総ばね力９の、それぞれ異なる傾きを有する変化曲線の延びを形成するために、コイルばね要素１０は、上述の意味でプログレッシブなばね特性を有している。その際、基本的には、このプログレッシブなばね特性が、限られた収縮区間にわたって設定されていれば十分である。
【００３４】
図３の右側には、それぞれ、駆動装置１の変位過程の間の力Ｆの推移、すなわち総ばね力９の変化曲線の延びを示してある。なお、矢印Ｐは、図３の左側にそれぞれ示した状態を指している。
【００３５】
図示の実施例では、総ばね力９の変化曲線の延びは、第一次近似的に、コイルばね要素１０自体により発生されるコイルばね力１３の変化曲線の延びも表している。それというのも、コイルばね要素１０が、駆動接続部４，５に作用する単一のばね要素であるとともに、後述するすべての別の駆動コンポーネントが、非自縛式であるからである。つまり、コイルばね要素１０により発生されるコイルばね力１３は、図示の実施例では、第一次近似的に総ばね力９に相当する。
【００３６】
図３のグラフは、コイルばね要素１０の位置Ｓに対する総ばね力９あるいはコイルばね力１３の変化を示している。位置Ｓは、それぞれ、駆動接続部４，５同士の相対的な位置、ひいては扉３の位置に相当する。相応に図２は、コイルばね要素１０を、扉３の閉鎖位置に相当する位置ＳＳで示している。コイルばね要素１０の、図２には略示したにすぎない位置ＳＯは、扉３の開放位置に相当する。つまり、扉３の閉鎖変位中、コイルばね要素１０は、図３に示した位置ＳＯ，ＳＫおよびＳＳを通過する。総ばね力９の変化曲線の延びは、コイルばね要素１０の位置ＳＯとＳＫとの間では比較的小さな傾きを示し、この傾きは、屈曲点ＳＫにおいて大幅に増大する。総ばね力９の変化曲線の延びの、この大幅に増大した傾きは、プッシュ−アップ−ばねの上述の機能に相当する。ここに、プッシュ−アップ−ばねの機能が、このために別個のばね要素を設ける必要なく、実現可能であるという、本提案による解決手段の１つの利点が既に生じる。
【００３７】
ここでは、好ましくは、コイルばね要素１０が、コイルばね軸線１１に沿って、変化するばね構成を有していることにより、コイルばね要素１０の、本提案によるプログレッシブなばね特性が生じる。「ばね構成」なる概念は、本明細書では、コイルばね要素１０のばね特性線に影響を及ぼすすべてのパラメータを包含している。図示の、その点では好ましい実施例において、コイルばね要素１０は、コイルばね軸線１１に沿って、区間的に変化するばね構成を有している。このことは、コイルばね要素１０のばね特性線における、図３に示した上述の屈曲箇所ＳＫを生じさせる。コイルばね要素１０の設計次第では、特性線のグラフ中、この屈曲箇所ＳＫは、程度の差こそあれ丸みを付けて、曲線区間間の移行を程度の差こそあれ穏やかなものとしてもよい。
【００３８】
しかし、基本的には、連続的に変化するばね構成が設定されていてもよい。その結果、屈曲箇所を有さず、傾きの連続的な増加を示す、累進的な、プログレッシブなばね特性が生じる。
【００３９】
図２および３を合わせて見ると、コイルばね要素１０が、第１のばね構成を有するばね区間１４と、第２のばね構成を有するばね区間１５とを有していることが判る。第１のばね構成を有するばね区間１４は、比較的小さなコイル勾配φ１を有している一方、第２のばね構成を有するばね区間１５は、比較的大きなコイル勾配φ２を有している。このときに考慮すべきは、基本的には、第１のばね構成を有するばね区間１４と、第２のばね構成を有するばね区間１５とが、複数設けられていてもよいことである。さらに、相応に少なくとも１つのばね区間に割り当てられた少なくとも１つの別のばね構成が設定されていてもよい。
【００４０】
特に全般的にいえば、図示の、その点では好ましいコイルばね要素１０では、コイルばね要素１０のそれぞれ異なるばね構成が、ばね幾何学形状の点で区別される。さらに、詳細には、上述のように、コイルばね要素１０のそれぞれ異なるばね構成が、コイル勾配φ１，φ２の点で区別される。コイル勾配は、位置ＳＯに相当する図３ａに角度φ１およびφ２を付して示してある。
【００４１】
これとは異なりまたはこれに加えて、コイルばね要素１０のそれぞれ異なるばね構成は、コイル直径の点で区別されてもよい。このことは、それどころか、コイルばね要素１０を、その都度の組み付けスペースについての技術的境界条件に適合させるために、有利な場合がある。さらに、これとは異なりまたはこれに加えて、コイルばね要素１０のそれぞれ異なるばね構成は、ばね素線直径の点で区別されてもよい。このことは、コイルばね要素１０の元来の、特に円筒形の形状構成から逸脱すべきでないときに、特に有利である。同じことは、やはり、これに代えてまたはこれに加えて設定可能であって、それぞれ異なるばね構成が、コイルばね材料の材料パラメータの点で区別される、同じく好ましい構成にもいえる。材料パラメータは、特にコイルばね材料の剛性に関するものであってよい。
【００４２】
上述の、それぞれ異なるコイル勾配φ１，φ２は、図３に示したように、両ばね区間１４，１５におけるそれぞれ異なるコイル間隔ｄ１，ｄ２をもたらす。
【００４３】
全体として当該装置にいえることは、コイルばね要素１０の、コイルばね軸線１１に沿って変化するばね構成が、扉３の変位、ここでは、好ましくは、閉鎖変位の際に、扉３の少なくとも一部変位範囲内で、コイルばね要素１０のばねコイルを収縮時に当接させ、ばね弾性を示す巻数を減少させる。扉３の閉鎖変位は、図３ａ，ｂ，ｃの連続からなる。図３ａから図３ｂへの移行は、屈曲点ＳＫにおいてコイルｗ１，ｗ２，ｗ３，ｗ４が当接したことを示している。つまり、図３ｂに示した屈曲箇所ＳＫからは、コイルｗ５，ｗ６，ｗ７，ｗ８のみがまだばね弾性的に有効である。コイルｗ１，ｗ２，ｗ３，ｗ４は、当接し、ひいては密着している。ばねコイルｗ５，ｗ６，ｗ７，ｗ８が、それ以外は同じばね構成で、ばねコイルｗ１，ｗ２，ｗ３，ｗ４より大きなコイル勾配を有していることにより、総ばね力９の変化曲線の延び内に、位置ＳＫと位置ＳＳとの間において、より大きな傾きが生じる。このことは、コイルばね要素１０の、本提案によるプログレッシブなばね特性を形成する、特に簡単であって機械的に頑強な解決手段である。
【００４４】
上述したように、コイルばね要素１０のばねコイルは、区間的に、ここでは第１のばね構成を有するばね区間１４において当接する。しかし、代替的には、ばねコイルが、扉３の変位の際に漸次当接するようになっていてもよく、その結果、同じく上述したように、連続的なプログレッシブなばねプロフィールが生じる。「漸次当接」とは、ばねコイルが扉３の変位の際に個々に順次当接することを意味する。
【００４５】
コイルばね要素１０の設計次第では、ばねコイルの当接は、ある種の摩耗または異音を生じさせることがある。このことを背景として、好ましくは、少なくとも当接するばねコイルに表面処理が施されている。表面処理の一例は、ばねコイルのフロック加工であり、これにより、係合するばねコイル間の摩擦を軽減することができる。
【００４６】
コイルばね要素１０の特に簡単な設計は、コイルばね要素１０のばね区間１４，１５が、ここでは、それぞれそれ自体が略線形のばね特性線を有していることにより生じる。しかし、基本的には、両ばね区間１４，１５が、やはり、それぞれそれ自体がプログレッシブなばね特性を有していることも可能である。
【００４７】
ここでは、扉３の変位に関するコイルばね装置８の設計に特別な意義がある。好ましくは、扉３の閉鎖変位の後半部、好ましくは、最後の３分の１、さらに好ましくは、最後の４分の１で初めて、コイルばね装置８が、総ばね力９の増加を引き起こす。
【００４８】
さらに好ましくは、扉３の閉鎖変位の後半部、好ましくは、最後の３分の１、さらに好ましくは、最後の４分の１で初めて、コイルばね要素１０のプログレッシブなばね特性が、総ばね力９の変化曲線の傾きの増加を引き起こす。
【００４９】
一方は、総ばね力９の増加に関し、他方は、総ばね力９の変化曲線の傾きの増加に関する、最後に挙げた好ましい両設計変化態様は、基本的には、プッシュ−アップ−ばねの機能を、このために別個のばね要素を設ける必要なく、実現する。
【００５０】
本提案による解決手段は、図示の実施例により、特に簡単に構造的に実現される。ここでは、駆動装置１は、駆動モータ１６と、場合によっては中間伝動機構１７を介して駆動モータ１６の下流に接続された送り伝動機構１８とを、駆動運動を発生させるべく備えている。駆動運動は、駆動接続部４，５を介して出力可能である。送り伝動機構１８は、ここでは、好ましくは、駆動軸線に沿った線形の駆動運動を発生させるリニア伝動機構として構成されており、駆動軸線は、図示の、その点では好ましい実施例では、コイルばね軸線１１に相当する。特にコンパクトな構成は、リニア伝動機構がスピンドル−スピンドルナット−伝動機構として構成されており、コイルばね要素１０が、好ましくは、駆動軸線に沿って、さらに好ましくは、駆動軸線に関して同軸に方向付けられていることにより生じる。図示の実施例では、コイルばね要素１０が、スピンドル−スピンドルナット−伝動機構として構成される送り伝動機構１８を包囲しており、このことは、当該装置のコンパクト性をさらに向上させる。
【００５１】
附言すると、図２に示した駆動装置１は、駆動ハウジング１９を備え、駆動ハウジング１９は、駆動接続部４，５の変位に伴い伸縮自在である。すべての駆動コンポーネント、特にコイルばね装置８は、ハウジング１９内に配置されている。しかし、基本的には、駆動装置１の駆動コンポーネントは、扉３に分配配置されていてもよい。特に、コイルばね装置８の少なくとも一部、特にコイルばね要素１０は、ハウジング１９外に配置されていてもよい。
【００５２】
さらに附言すると、コイルばね装置８は、駆動装置１の変位の間、その都度所望の総ばね力９の変化曲線の延びを実現すべく、コイルばね要素１０の他に別のコイルばね要素を有していてもよい。
【００５３】
モータにより駆動運動を発生させる場合の、駆動装置１の基本的な機能形式については、独国実用新案第２０２０１００１６４７４号明細書（DE 20 2010 016 474 U1）を参照されたい。この明細書は、本件出願人に帰属し、その内容は、その点では本願の対象に加えられる。
【００５４】
独立した意義のある別の思想にしたがって、自動車の上述の扉装置２自体の特許を請求する。
【００５５】
特許を請求する扉装置２は、開放位置と閉鎖位置との間で変位可能な扉３を備えている。特許を請求する扉装置２は、さらに、扉３に配設された本提案に係る駆動装置１を備えている。本提案に係る駆動装置１について述べた、扉装置２自体の説明に好適なすべての説明を参照されたい。
【図１】
2019508610.tif 000003
【図２】
2019508610.tif 000004
【図３】
2019508610.tif 000005
【国際調査報告】
2019508610.tif 000006
2019508610.tif 000007
2019508610.tif 000008
2019508610.tif 000009
2019508610.tif 000010
2019508610.tif 000011